(57)【要約】【課題】送信機が、カラーでファクシミリ送信を指定した上で、その解像度を非スクエアで指定した場合、モノクロ解像度指定ビットに対応する受信機能を有しないとして、ＤＩＳ信号を再送信することが可能になり、送信機から再度、異なる解像度指定によるカラー通信が可能になるようにする。【解決手段】主走査方向における解像度の指定と副走査方向における解像度の指定とが異なる非スクエアで、カラー通信指定が行われたときには、指定された解像度での受信機能無しに変更した初期識別信号を再送信する。【選択図】　図１
2004088670.tif 000002
【特許請求の範囲】
【請求項１】
カラー情報を通信可能なファクシミリ装置において、
受信機として動作する場合、
ＪＰＥＧ受信機能の有無を通知する手段と；
フルカラー受信機能の有無を通知する手段と；
各解像度におけるモノクロでの受信機能の有無を通知する手段と；
各解像度におけるカラーでの受信機能の有無を通知する手段と；
を有し、
送信機として動作する場合、
ＪＰＥＧ送信を指定する手段と；
フルカラー送信を指定する手段と；
各解像度におけるモノクロでの送信を指定する手段と；
各解像度におけるカラーでの送信を指定する手段と；
を有し、主走査方向における解像度の指定と副走査方向における解像度の指定とが異なる非スクエアで、カラー通信指定が行われたときには、指定された解像度での受信機能無しに変更した初期識別信号を再送信する制御手段を有することを特徴とするファクシミリ装置。
【請求項２】
カラー情報を通信可能なファクシミリ装置において、
受信機として動作する場合、
ＪＰＥＧ受信機能の有無を通知する手段と；
フルカラー受信機能の有無を通知する手段と；
各解像度におけるモノクロでの受信機能の有無を通知する手段と；
各解像度におけるカラーでの受信機能の有無を通知する手段と；
を有し、
送信機として動作する場合、
ＪＰＥＧ送信を指定する手段と；
フルカラー送信を指定する手段と；
各解像度におけるモノクロでの送信を指定する手段と；
各解像度におけるカラーでの送信を指定する手段と；
を有し、主走査方向における解像度の指定と副走査方向における解像度の指定とが異なる非スクエアで、カラー通信指定が行われたときには、非スクエアの解像度での受信機能を全て無しに変更した初期識別信号を再送信する制御手段を有することを特徴とするファクシミリ装置。
【請求項３】
カラー情報を通信可能なファクシミリ装置の制御方法において、
受信機として動作する場合、
ＪＰＥＧ受信機能の有無を通知する段階と；
フルカラー受信機能の有無を通知する段階と；
各解像度におけるモノクロでの受信機能の有無を通知する段階と；
各解像度におけるカラーでの受信機能の有無を通知する段階と；
を有し、
送信機として動作する場合、
ＪＰＥＧ送信を指定する段階と；
フルカラー送信を指定する段階と；
各解像度におけるモノクロでの送信を指定する段階と；
各解像度におけるカラーでの送信を指定する段階と；
を有し、主走査方向における解像度の指定と副走査方向における解像度の指定とが異なる非スクエアで、カラー通信指定が行われたときには、指定された解像度での受信機能無しに変更した初期識別信号を再送信する制御段階を有することを特徴とするファクシミリ装置の制御方法。
【請求項４】
カラー情報を通信可能なファクシミリ装置の制御方法において、
受信機として動作する場合、
ＪＰＥＧ受信機能の有無を通知する段階と；
フルカラー受信機能の有無を通知する段階と；
各解像度におけるモノクロでの受信機能の有無を通知する段階と；
各解像度におけるカラーでの受信機能の有無を通知する段階と；
を有し、
送信機として動作する場合、
ＪＰＥＧ送信を指定する段階と；
フルカラー送信を指定する段階と；
各解像度におけるモノクロでの送信を指定する段階と；
各解像度におけるカラーでの送信を指定する段階と；
を有し、主走査方向における解像度の指定と副走査方向における解像度の指定とが異なる非スクエアで、カラー通信指定が行われたときには、非スクエアの解像度での受信機能を全て無しに変更した初期識別信号を再送信する制御段階を有することを特徴とするファクシミリ装置の制御方法。
【請求項５】
カラー情報を通信可能なファクシミリ装置において、
受信機として動作する場合、
ＪＰＥＧ受信機能の有無を通知する手段と；
フルカラー受信機能の有無を通知する手段と；
各解像度でのモノクロでの受信機能の有無を通知する手段と；
各解像度でのカラーでの受信機能の有無を通知する手段と；
を有し、
送信機として動作する場合、
ＪＰＥＧ送信を指定する手段と；
フルカラー送信を指定する手段と；
各解像度でのモノクロでの送信を指定する手段と；
各解像度でのカラーでの送信を指定する手段と；
を有し、解像度の指定が主走査方向、副走査方向に対して、非スクエアでのカラー通信指定が行われたときに、所定条件が成立したときに、受信制御が有効になる手段を有することを特徴とするファクシミリ装置。
【請求項６】
請求項５において、
解像度の指定が主走査方向、副走査方向に対して、非スクエアでのカラー通信指定が行われたときの受信制御は、受信したＪＰＥＧファイルのヘッダーでの主走査方向ドット数、副走査方向のドット数が、前手順によって指定された、伝送サイズ、主走査方向解像度、副走査方向解像度から求められる主走査方向のドット数、副走査方向のドット数に対して、所定ドット数以内の違いであれば、有効であるとすることを特徴とするファクシミリ装置。
【請求項７】
カラー情報を通信可能なファクシミリ装置において、
受信機として動作する場合、
ＪＰＥＧ受信機能の有無を通知する手段と；
フルカラー受信機能の有無を通知する手段と；
各解像度でのモノクロでの受信機能の有無を通知する手段と；
各解像度でのカラーでの受信機能の有無を通知する手段と；
を有し、
送信機として動作する場合、
ＪＰＥＧ送信を指定する手段と；
フルカラー送信を指定する手段と；
各解像度でのモノクロでの送信を指定する手段と；
各解像度でのカラーでの送信を指定する手段と；
を有し、解像度の指定が主走査方向、副走査方向に対して、非スクエアでのカラー通信指定が行われたときに、受信制御を、無効とするか、所定条件が成立したときに有効とするか否かを選択する手段を有することを特徴とするファクシミリ装置。
【請求項８】
カラー情報を通信可能なファクシミリ装置の制御方法において、
受信機として動作する場合、
ＪＰＥＧ受信機能の有無を通知する段階と；
フルカラー受信機能の有無を通知する段階と；
各解像度でのモノクロでの受信機能の有無を通知する段階と；
各解像度でのカラーでの受信機能の有無を通知する段階と；
を有し、
送信機として動作する場合、
ＪＰＥＧ送信を指定する段階と；
フルカラー送信を指定する段階と；
各解像度でのモノクロでの送信を指定する段階と；
各解像度でのカラーでの送信を指定する段階と；
を有し、解像度の指定が主走査方向、副走査方向に対して、非スクエアでのカラー通信指定が行われたときに、所定条件が成立したときに、受信制御が有効になる段階を有することを特徴とするファクシミリ装置の制御方法。
【請求項９】
カラー情報を通信可能なファクシミリ装置の制御方法において、
受信機として動作する場合、
ＪＰＥＧ受信機能の有無を通知する段階と；
フルカラー受信機能の有無を通知する段階と；
各解像度でのモノクロでの受信機能の有無を通知する段階と；
各解像度でのカラーでの受信機能の有無を通知する段階と；
を有し、
送信機として動作する場合、
ＪＰＥＧ送信を指定する段階と；
フルカラー送信を指定する段階と；
各解像度でのモノクロでの送信を指定する段階と；
各解像度でのカラーでの送信を指定する段階と；
を有し、解像度の指定が主走査方向、副走査方向に対して、非スクエアでのカラー通信指定が行われたときに、受信制御を、無効とするか、所定条件が成立したときに有効とするか否かを選択する段階を有することを特徴とするファクシミリ装置の制御方法。
【発明の詳細な説明】
【０００１】
【発明の属する技術分野】
本発明は、ファクシミリ装置、特に、カラーファクシミリ通信可能なファクシミリ装置およびその制御方法に関するものである。
【０００２】
【従来の技術】
従来のファクシミリ装置は、ＩＴＵ−Ｔ勧告に基づいて設計されている。この勧告では、受信機から送信機にＪＰＥＧ受信機能の有無と、フルカラー受信機能の有無とを通知し、送信機から受信機へは、ＪＰＥＧ送信の指定の有無、フルカラー送信の指定の有無を通知する。
【０００３】
ここで、ＪＰＥＧ符号化によってフルカラー送信を指定すると、カラー送信になる。カラー送信のマンダトリーな解像度は、２００ｄｐｉである。さらに、カラー送信を指定する場合、オプションの解像度として、１００ｄｐｉ、３００ｄｐｉ、４００ｄｐｉ、６００ｄｐｉ、１２００ｄｐｉがある。これらのカラーファクシミリ通信の解像度は全て、スクエアである。
【０００４】
なお、解像度がスクエアであるとは、主走査の解像度と副走査の解像度とが同一であることである。
【０００５】
【発明が解決しようとする課題】
一方、モノクロのファクシミリでは、解像度として（主走査、副走査）＝（２００ｄｐｉ、１００ｄｐｉ）、（２００ｄｐｉ、２００ｄｐｉ）、（２００ｄｐｉ、４００ｄｐｉ）、（３００ｄｐｉ、３００ｄｐｉ）、（３００ｄｐｉ、６００ｄｐｉ）、（４００ｄｐｉ、４００ｄｐｉ）、（４００ｄｐｉ、８００ｄｐｉ）、（６００ｄｐｉ、６００ｄｐｉ）、（６００ｄｐｉ、１２００ｄｐｉ）、（１２００ｄｐｉ、１２００ｄｐｉ）が存在する。
【０００６】
すなわち、主走査方向の解像度と副走査方向の解像度とが同一である解像度がスクエアなものと、解像度が非スクエアなものとが存在する。
【０００７】
ここで、たとえば、カラーで２００ｄｐｉでの送信は、モノクロ送信で使用する解像度の指定ビットを使用しているので、送信機は、モノクロの解像度の指定ビットを使用し、ＪＰＥＧ送信、フルカラー送信をすることが考えられるが、このときに、受信機が通信エラーになるという問題がある。
【０００８】
本発明は、送信機が、ＪＰＥＧ送信とフルカラー送信とを指定し、すなわち、カラーでファクシミリ送信を指定した上で、その解像度を非スクエアで指定した場合、モノクロ解像度指定ビットに対応する受信機能を有しないとして、ＤＩＳ信号を再送信することが可能になり、送信機から再度、異なる解像度指定によるカラー通信が可能になるファクシミリ装置およびその制御方法を提供するものである。
【０００９】
【課題を解決するための手段】
本発明は、カラー情報を通信可能なファクシミリ装置において、受信機として動作する場合に、ＪＰＥＧ受信機能の有無を通知する手段と、フルカラー受信機能の有無を通知する手段と、各解像度におけるモノクロでの受信機能の有無を通知する手段と、各解像度におけるカラーでの受信機能の有無を通知する手段とを有し、一方、送信機として動作する場合に、ＪＰＥＧ送信を指定する手段と、フルカラー送信を指定する手段と、各解像度におけるモノクロでの送信を指定する手段と、各解像度におけるカラーでの送信を指定する手段とを有し、主走査方向における解像度の指定と副走査方向における解像度の指定とが異なる非スクエアで、カラー通信指定が行われたときには、指定された解像度での受信機能無しに変更した初期識別信号を再送信する制御手段を有するファクシミリ装置である。
【００１０】
【発明の実施の形態および実施例】
［第１の実施例］
図１は、本発明の第１の実施例であるファクシミリ装置ＦＳ１を示すブロック図である。
【００１１】
ファクシミリ装置ＦＳ１において、ＮＣＵ（網制御装置）２は、電話網をデータ通信等に使用するために、その回線の端末に接続し、電話交換網の接続制御を行い、データ通信路への切り換えを行い、ループの保持を行うものである。また、ＮＣＵ２は、バス２６からの制御によって、電話回線２ａを電話機側に接続（ＣＭＬオフ）し、電話回線２ａをファクシミリ装置側に接続（ＣＭＬオン）するものである。なお、通常状態では、電話回線２ａは、電話機４側に接続されている。
【００１２】
ハイブリッド回路６は、送信系の信号と受信系の信号とを分離し、加算回路１２からの送信信号を、ＮＣＵ２経由で電話回線２ａに送出し、相手側からの信号をＮＣＵ２経由で受け取り、信号線６ａ経由で変復調器８に送るものである。
【００１３】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス２６の制御によって、各伝送モードが指定される。また、変復調器８は、バス２６からの送信信号を入力し、変調データを信号線８ａに出力し、信号線６ａに出力されている受信信号を入力し、復調データをバス２６に出力する。
【００１４】
発呼回路１０は、バス２６からの信号によって、電話番号情報を入力し、信号線１０ａにＤＴＭＦの選択信号を出力する。
【００１５】
加算回路１２は、信号線８ａの情報と信号線１０ａの情報を入力し、加算した結果を信号線１２ａに出力する。
【００１６】
読み取り回路１４は、カラー情報を読み取り可能な読取回路であり、読み取りデータをバス２６に出力する。
【００１７】
記録回路１６は、カラー情報を記録可能な記録回路であり、バス２６に出力されている情報を順次、１ライン毎に記録する。
【００１８】
メモリ回路１８は、ワーク用のメモリ（ＲＡＭ）、さらに、読み取りデータの生情報、または、符号化した情報を格納し、また、受信情報、または、復号化した情報等を、バス２６を介して、格納するために使用する。
【００１９】
操作部２０は、ワンタッチダイヤル、短縮ダイヤル、テンキー、スタートキー、ストップキー、セットキー、カラー送信選択キー、メモリ１８への登録キー、その他のファンクションキーがあり、押下されたキー情報はバス２６に出力される。操作部２０には、表示部があり、バス２６に出力されている情報を入力し、表示する。
【００２０】
ＣＰＵ（中央処理装置）２２は、ファクシミリ装置ＦＳ１の全体を制御し、ファクシミリ伝送制御手順を実行し、その制御プログラムは、ＲＯＭ２４に格納される。
【００２１】
ＲＯＭ２４は、カラー情報を通信可能なファクシミリ装置において、受信機として動作する場合、ＪＰＥＧ受信機能の有無を通知する手段と、フルカラー受信機能の有無を通知する手段と、各解像度におけるモノクロでの受信機能の有無を通知する手段と、各解像度におけるカラーでの受信機能の有無を通知する手段とを実現する制御プログラムを格納し、送信機として動作する場合、ＪＰＥＧ送信を指定する手段と、フルカラー送信を指定する手段と、各解像度におけるモノクロでの送信を指定する手段と、各解像度におけるカラーでの送信を指定する手段とを実現する制御プログラムを格納し、また、主走査方向における解像度の指定と副走査方向における解像度の指定とが異なる非スクエアで、カラー通信指定が行われたときには、指定された解像度での受信機能無しに変更した初期識別信号を再送信する制御手段を実現する制御プログラムを格納するメモリの例である。
【００２２】
また、ＲＯＭ２４は、カラー情報を通信可能なファクシミリ装置において、受信機として動作する場合、ＪＰＥＧ受信機能の有無を通知する手段と、フルカラー受信機能の有無を通知する手段と、各解像度におけるモノクロでの受信機能の有無を通知する手段と、各解像度におけるカラーでの受信機能の有無を通知する手段とを実現する制御プログラムを格納し、また、送信機として動作する場合、ＪＰＥＧ送信を指定する手段と、フルカラー送信を指定する手段と、各解像度におけるモノクロでの送信を指定する手段と、各解像度におけるカラーでの送信を指定する手段とを実現する制御プログラムを格納し、さらに、主走査方向における解像度の指定と副走査方向における解像度の指定とが異なる非スクエアで、カラー通信指定が行われたときには、非スクエアの解像度での受信機能を全て無しに変更した初期識別信号を再送信する制御手段を実現する制御プログラムを格納するメモリの例である。
【００２３】
図２は、上記実施例における解像度の指定と、カラー、グレースケールの画像通信との具体例を示す図である。
【００２４】
図２に示す解像度は、全て、（主走査方向の解像度）×（副走査方向の解像度）である。
【００２５】
ＤＩＳ、ＤＴＣ、ＤＣＳ信号のＦＩＦの１５、４１、４２、４３、６８、６９、９７、９８、１０５、１０６、１０７、１０８、１０９、１１０、１１１ビットは、全て、現在のＩＴＵ−Ｔ勧告に決められている。
【００２６】
ＤＩＳ、ＤＴＣ信号のＦＩＦの１５ビットは、２００ｄｐｉ×２００ｄｐｉでの受信機能の有無を表し、ＤＣＳ信号のＦＩＦの１５ビットは、２００ｄｐｉ×２００ｄｐｉでの送信指定を表す。
【００２７】
ＤＩＳ、ＤＴＣ信号のＦＩＦの４１ビットは、２００ｄｐｉ×４００ｄｐｉでの受信機能の有無を表し、ＤＣＳ信号のＦＩＦの４１ビットは、２００ｄｐｉ×４００ｄｐｉでの送信指定を表す。
【００２８】
ＤＩＳ、ＤＴＣ信号のＦＩＦの４２ビットは、３００ｄｐｉ×３００ｄｐｉでの受信機能の有無を表し、ＤＣＳ信号のＦＩＦの４２ビットは、３００ｄｐｉ×３００ｄｐｉでの送信指定を表す。
【００２９】
ＤＩＳ、ＤＴＣ信号のＦＩＦの４３ビットは、４００ｄｐｉ×４００ｄｐｉでの受信機能の有無を表し、ＤＣＳ信号のＦＩＦの４３ビットは、４００ｄｐｉ×４００ｄｐｉでの送信指定を表す。
【００３０】
ＤＩＳ、ＤＴＣ信号のＦＩＦの６８ビットは、ＪＰＥＧ符号化の受信機能の有無を表し、ＤＣＳ信号のＦＩＦの６８ビットは、ＪＰＥＧ符号化の送信指定を表す。
【００３１】
ＤＩＳ、ＤＴＣ信号のＦＩＦの６９ビットは、フルカラーモードの受信機能の有無を表し、ＤＣＳ信号のＦＩＦの６９ビットは、フルカラーモードの送信指定を表す。
【００３２】
ＤＩＳ、ＤＴＣ信号のＦＩＦの９７ビットは、カラー／グレースケール受信での３００ｄｐｉ×３００ｄｐｉまたは４００ｄｐｉ×４００ｄｐｉでの受信機能の有無を表し、ＤＣＳ信号のＦＩＦの９７ビットは、３００ｄｐｉ×３００ｄｐｉまたは４００ｄｐｉ×４００ｄｐｉでカラー／グレースケールでの送信指定を表す。
【００３３】
ＤＩＳ、ＤＴＣ信号のＦＩＦの９８ビットは、カラー受信／グレースケールでの１００ｄｐｉ×１００ｄｐｉでの受信機能の有無を表し、ＤＣＳ信号のＦＩＦの９８ビットは、１００ｄｐｉ×１００ｄｐｉでカラー／グレースケールでの送信指定を表す。
【００３４】
ＤＩＳ、ＤＴＣ信号のＦＩＦの１０５ビットは、６００ｄｐｉ×６００ｄｐｉでの受信機能の有無を表し、ＤＣＳ信号のＦＩＦの１０５ビットは、６００ｄｐｉ×６００ｄｐｉでの送信指定を表す。
【００３５】
ＤＩＳ、ＤＴＣ信号のＦＩＦの１０６ビットは、１２００ｄｐｉ×１２００ｄｐｉでの受信機能の有無を表し、ＤＣＳ信号のＦＩＦの１０６ビットは、１２００ｄｐｉ×１２００ｄｐｉでの送信指定を表す。
【００３６】
ＤＩＳ、ＤＴＣ信号のＦＩＦの１０７ビットは、３００ｄｐｉ×６００ｄｐｉでの受信機能の有無を表し、ＤＣＳ信号のＦＩＦの１０７ビットは、３００ｄｐｉ×６００ｄｐｉでの送信指定を表す。
【００３７】
ＤＩＳ、ＤＴＣ信号のＦＩＦの１０８ビットは、４００ｄｐｉ×８００ｄｐｉでの受信機能の有無を表し、ＤＣＳ信号のＦＩＦの１０８ビットは、４００ｄｐｉ×８００ｄｐｉでの送信指定を表す。
【００３８】
ＤＩＳ、ＤＴＣ信号のＦＩＦの１０９ビットは、６００ｄｐｉ×１２００ｄｐｉでの受信機能の有無を表し、ＤＣＳ信号のＦＩＦの１０９ビットは、６００ｄｐｉ×１２００ｄｐｉでの送信指定を表す。
【００３９】
ＤＩＳ、ＤＴＣ信号のＦＩＦの１１０ビットは、カラー／グレースケール受信での６００ｄｐｉ×６００ｄｐｉでの受信機能の有無を表し、ＤＣＳ信号のＦＩＦの１１０ビットは、６００ｄｐｉ×６００ｄｐｉでカラー／グレースケールでの送信指定を表す。
【００４０】
ＤＩＳ、ＤＴＣ信号のＦＩＦの１１１ビットは、カラー／グレースケール受信での１２００ｄｐｉ×１２００ｄｐｉでの受信機能の有無を表し、ＤＣＳ信号のＦＩＦの１１１ビットは、１２００ｄｐｉ×１２００ｄｐｉでカラー／グレースケールでの送信指定を表す。
【００４１】
図３、図４、図５は、ファクシミリ装置ＦＳ１の動作を示すフローチャートである。
【００４２】
Ｓ２では、バス２６を介して、メモリ１８をイニシャライズし、Ｓ４では、バス２６を介して、操作部の表示部をクリアし、Ｓ６では、バス２６を介して、ＮＣＵ２のＣＭＬをオフする。
【００４３】
Ｓ８では、ファクシミリ受信が選択されたか否かを判断し、ファクシミリ受信が選択されていれば、ステップＳ１２に進み、ファクシミリ受信が選択されていなければ、ステップＳ１０に進み、その他の処理を実行する。
【００４４】
Ｓ１２では、バス２６を介して、ＮＣＵ２のＣＭＬをオンし、Ｓ１４では、前手順を実行し、ここで、図２に基づいて、ＤＩＳ信号のＦＩＦの１５、４１、４２、４３、６８、６９、９７、９８、１０５、１０６、１０７、１０８、１０９、１１０、１１１ビットを、全て１にして送信する。
【００４５】
Ｓ１６では、ＤＣＳ信号のＦＩＦの６８ビットは１であるかを判断し（ＪＰＥＧ符号化通信が指定されたか否かを判断し）、ＪＰＥＧ符号化通信が指定されていれば、ステップＳ２２に進み、ＪＰＥＧ符号化通信が指定されていなければ、ステップＳ１８に進む。
【００４６】
Ｓ１８では、指定された解像度でモノクロ、２値画信号を受信し、記録し、Ｓ２０では、後手順を実行する。
【００４７】
Ｓ２２では、ＤＣＳ信号のＦＩＦの４１ビット、１０７ビット、１０８ビット、１０９ビットのどれかが１であるか、すなわち、主走査方向における解像度の指定と副走査方向における解像度の指定とが異なる指定であるか否かを判断し、主走査方向、副走査方向に対して、非スクエアな解像度指定であれば、ステップＳ３４に進み、主走査方向、副走査方向に対して、スクエアな解像度指定であれば、ステップＳ２４に進む。
【００４８】
Ｓ２４では、ＤＣＳ信号のＦＩＦの６９ビットが１である（フルカラー通信が指定された）か否かを判断し、ＤＣＳ信号のＦＩＦの６９ビットが１であれば、ステップＳ２６に進み、ＤＣＳ信号のＦＩＦの６９ビットが１でなければ、ステップＳ３０に進む。
【００４９】
Ｓ２６では、指定された解像度でのカラー画信号を受信し、記録し、Ｓ２８では、後手順を実行し、Ｓ３０では、指定された解像度でのグレースケール画信号受信し、記録し、Ｓ３２では、後手順を実行し、Ｓ３４では、前手順を実行し、ここで、ＤＩＳ信号を再送信する。
【００５０】
図２に基づいて、ＤＩＳ信号のＦＩＦの１５、４２、４３、６８、６９、９７、９８、１０５、１０６、１１０、１１１ビットを全て１にして送信する。また、ＤＩＳ信号のＦＩＦの４１、１０７、１０８、１０９は、ＤＣＳ信号で１であるビットのみ０として、他は１とする。すなわち、ＤＣＳ信号によるモノクロ解像度指定ビットに対応する受信機能をなしとし、ＤＩＳ信号を再送信する。
【００５１】
第１の実施例によれば、送信機が、ＪＰＥＧ送信とフルカラー送信とを指定し、すなわち、カラーでのファクシミリ送信を指定した上で、その解像度として非スクエアを指定した場合（たとえば、モノクロの解像度指定ビットを使用して指定した場合）、フルカラーでの通信は不可であるので、モノクロ解像度指定ビットに対応した受信機能を無しとし、ＤＩＳ信号を再送信することができ、送信機から、異なる解像度指定によるカラー通信が再度可能になり、ユーザにはとても使い易い。
【００５２】
［第２の実施例］
本発明の第２の実施例は、カラー情報を通信可能なファクシミリ装置において、受信機として動作する場合、ＪＰＥＧ受信機能の有無を通知する手段と、フルカラー受信機能の有無を通知する手段と、各解像度におけるモノクロでの受信機能の有無を通知する手段と、各解像度におけるカラーでの受信機能の有無を通知する手段とを有し、送信機として動作する場合、ＪＰＥＧ送信を指定する手段と、フルカラー送信を指定する手段と、各解像度におけるモノクロでの送信を指定する手段と、各解像度におけるカラーでの送信を指定する手段とを有し、主走査方向における解像度の指定と副走査方向における解像度の指定とが異なる非スクエアで、カラー通信指定が行われたときには、非スクエアの解像度での受信機能を全て無しに変更した初期識別信号を再送信する制御手段を有するファクシミリ装置である。
【００５３】
図６は、本発明の第２の実施例の動作を示すフローチャートである。
【００５４】
図６には、図３〜図５の動作とは異なる部分を示し、Ｓ４０では、ステップＳ２２におけるＹＥＳを表している。
【００５５】
Ｓ４２では、前手順を示し、ここで、ＤＩＳ信号を再送信する。図２に基づいて、ＤＩＳ信号のＦＩＦの１５、４２、４３、６８、６９、９７、９８、１０５、１０６、１１０、１１１ビットを全て１にして送信し、また、ＤＩＳ信号のＦＩＦの４１、１０７、１０８、１０９を、０にする。すなわち、ＤＣＳ信号による全ての非スクエアであるモノクロ解像度の受信機能を無しとし、ＤＩＳ信号を再送信する。
【００５６】
Ｓ４４は、ステップＳ１６を表している。
【００５７】
第２の実施例によれば、送信機が、ＪＰＥＧ送信とフルカラー送信とを指定し、すなわち、カラーでのファクシミリ送信を指定した上で、その解像度を非スクエアに指定した場合（たとえば、モノクロの解像度指定ビットを使用して場合）において、フルカラーでの通信ができないので、全ての非スクエアであるモノクロ解像度の受信機能を無しとし、ＤＩＳ信号を再送信することができ、送信機から、非スクエアでの解像度でカラー通信を再度指定することがなく、異なる解像度指定でカラー通信することが確実に可能になり、ユーザにはとても使い易い。
【００５８】
ところで、従来のファクシミリ装置は、ＩＴＵ−Ｔ勧告に基づいて設計されている。この勧告では、受信機から送信機にＪＰＥＧ受信機能の有無とフルカラー受信機能の有無とを通知し、送信機から受信機へは、ＪＰＥＧ送信の指定の有無とフルカラー送信の指定の有無とを通知する。
【００５９】
ここで、ＪＰＥＧ符号化によってフルカラー送信を指定するときがカラー送信である。カラー送信のマンダトリーな解像度は、２００ｄｐｉである。さらに、カラー送信の指定として、オプションの解像度が、１００ｄｐｉ、３００ｄｐｉ、４００ｄｐｉ、６００ｄｐｉ、１２００ｄｐｉである。これらのカラーファクシミリ通信の解像度は全て、スクエアであり、主走査の解像度と副走査の解像度とは同一である。
【００６０】
一方、モノクロのファクシミリでは、解像度として（主走査、副走査）＝（２００ｄｐｉ、１００ｄｐｉ）、（２００ｄｐｉ、２００ｄｐｉ）、（２００ｄｐｉ、４００ｄｐｉ）、（３００ｄｐｉ、３００ｄｐｉ）、（３００ｄｐｉ、６００ｄｐｉ）、（４００ｄｐｉ、４００ｄｐｉ）、（４００ｄｐｉ、８００ｄｐｉ）、（６００ｄｐｉ、６００ｄｐｉ）、（６００ｄｐｉ、１２００ｄｐｉ）、（１２００ｄｐｉ、１２００ｄｐｉ）が存在する。すなわち、主走査方向の解像度と副走査方向の解像度はスクエアなものと、非スクエアなものが存在する。
【００６１】
ここで、たとえば、カラーでの２００ｄｐｉでの送信は、モノクロ送信で使用する解像度の指定ビットを使用しているので、送信機は、モノクロの解像度の指定ビットを使用し、ＪＰＥＧ送信、フルカラー送信することが考えられるが、このときに、受信機が通信エラーするという問題がある。
【００６２】
［第３の実施例］
図７は、本発明の第３の実施例であるファクシミリ装置ＦＳ３を示すブロック図である。
【００６３】
ファクシミリ装置ＦＳ３において、ＮＣＵ（網制御装置）１０２は、電話網をデータ通信等に使用するために、その回線の端末に接続し、電話交換網の接続制御を行ったり、データ通信路への切り換えを行ったり、ループの保持を行うものである。また、ＮＣＵ１０２は、バス１２６からの制御によって、電話回線１０２ａを電話機側に接続（ＣＭＬオフ）し、電話回線１０２ａをファクシミリ装置側に接続（ＣＭＬオン）するものである。なお、通常状態では、電話回線１０２ａは、電話機１０４側に接続されている。
【００６４】
ハイブリッド回路１０６は、送信系の信号と受信系の信号とを分離し、加算回路１１２からの送信信号を、ＮＣＵ１０２経由で電話回線１０２ａに送出し、相手側からの信号をＮＣＵ１０２経由で受け取り、信号線１０６ａ経由で変復調器１０８に送るものである。
【００６５】
変復調器１０８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス１２６の制御によって、各伝送モードが指定される。変復調器８は、バス１２６からの送信信号を入力し、変調データを信号線１０８ａに出力し、信号線１０６ａに出力されている受信信号を入力し、復調データをバス１２６に出力する。
【００６６】
発呼回路１１０は、バス１２６からの信号によって、電話番号情報を入力し、信号線１１０ａにＤＴＭＦの選択信号を出力する。
【００６７】
加算回路１１２は、信号線１０８ａの情報と信号線１１０ａの情報を入力し、加算した結果を信号線１１２ａに出力する。
【００６８】
カラー情報を読み取り可能な読取回路１１４は、読み取りデータをバス１２６に出力する。
【００６９】
カラー情報を記録可能な記録回路１１６は、バス１２６に出力されている情報を順次１ライン毎に記録する。
【００７０】
メモリ回路１１８は、ワーク用のメモリ（ＲＡＭ）、さらに、読み取りデータの生情報、または、符号化した情報を格納し、また、受信情報、または、復号化した情報等を、バス１２６を介して、格納する。
【００７１】
図９は、メモリ回路１１８に登録されている内容例を示す図である。
【００７２】
メモリ回路１１８には、解像度の指定が主走査方向、副走査方向に対して、非スクエアでのカラー通信指定が行われたときの受信制御を、無効とするか、所定条件が成立したときに有効とするか否かを登録するメモリがあり、図９に示されている。
【００７３】
操作部１２０は、ワンタッチダイヤル、短縮ダイヤル、テンキー、スタートキー、ストップキー、セットキー、カラー送信選択キー、メモリ回路１１８への登録キー、その他のファンクションキーがあり、押下されたキー情報はバス１２６に出力される。
【００７４】
操作部１２０には、表示部があり、バス１２６に出力されている情報を入力し、表示する。
【００７５】
ＣＰＵ（中央処理装置）１２２は、ファクシミリ全体の制御をしたり、ファクシミリ伝送制御手順を実行するが、その制御プログラムは、ＲＯＭ１２４に格納される。
【００７６】
ＲＯＭ１２４は、カラー情報を通信可能なファクシミリ装置において、受信機として動作する場合、ＪＰＥＧ受信機能の有無を通知する手段と、フルカラー受信機能の有無を通知する手段と、各解像度でのモノクロでの受信機能の有無を通知する手段と、各解像度でのカラーでの受信機能の有無を通知する手段とを実現する制御プログラムを格納し、送信機として動作する場合、ＪＰＥＧ送信を指定する手段と、フルカラー送信を指定する手段と、各解像度でのモノクロでの送信を指定する手段とを実現する制御プログラムを格納し、各解像度でのカラーでの送信を指定する手段とを実現する制御プログラムを格納し、解像度の指定が主走査方向、副走査方向に対して、非スクエアでのカラー通信指定が行われたときに、所定条件が成立したときに、受信制御が有効になる制御プログラムを格納している。
【００７７】
また、ＲＯＭ１２４は、カラー情報を通信可能なファクシミリ装置において、受信機として動作する場合、ＪＰＥＧ受信機能の有無を通知する手段と、フルカラー受信機能の有無を通知する手段と、各解像度でのモノクロでの受信機能の有無を通知する手段と、各解像度でのカラーでの受信機能の有無を通知する手段とを実現する制御プログラムを格納し、送信機として動作する場合、ＪＰＥＧ送信を指定する手段と、フルカラー送信を指定する手段と、各解像度でのモノクロでの送信を指定する手段と、各解像度でのカラーでの送信を指定する手段とを実現する制御プログラムを格納し、解像度の指定が主走査方向、副走査方向に対して、非スクエアでのカラー通信指定が行われたときに、受信制御を、無効とするか、所定条件が成立したときに有効とするか否かを選択する手段を実現する制御プログラムを格納している。
【００７８】
図８は、第３の実施例において、解像度の指定と、カラー、グレースケールの画像通信との具体例を示す図である。
【００７９】
ここでの解像度は、全て、主走査方向の解像度×副走査方向の解像度で表わしている。
【００８０】
ＤＩＳ、ＤＴＣ、ＤＣＳ信号のＦＩＦの１５、４１、４２、４３、６８、６９、９７、９８、１０５、１０６、１０７、１０８、１０９、１１０、１１１ビットは全て、現在のＩＴＵ−Ｔ勧告に決められている。
【００８１】
ＤＩＳ、ＤＴＣ信号のＦＩＦの１５ビットは、２００ｄｐｉ×２００ｄｐｉでの受信機能の有無を表し、ＤＣＳ信号のＦＩＦの１５ビットは、２００ｄｐｉ×２００ｄｐｉでの送信指定を表す。
【００８２】
ＤＩＳ、ＤＴＣ信号のＦＩＦの４１ビットは、２００ｄｐｉ×４００ｄｐｉでの受信機能の有無を表し、ＤＣＳ信号のＦＩＦの４１ビットは、２００ｄｐｉ×４００ｄｐｉでの送信指定を表す。
【００８３】
ＤＩＳ、ＤＴＣ信号のＦＩＦの４２ビットは、３００ｄｐｉ×３００ｄｐｉでの受信機能の有無を表し、ＤＣＳ信号のＦＩＦの４２ビットは、３００ｄｐｉ×３００ｄｐｉでの送信指定を表す。
【００８４】
ＤＩＳ、ＤＴＣ信号のＦＩＦの４３ビットは、４００ｄｐｉ×４００ｄｐｉでの受信機能の有無を表し、ＤＣＳ信号のＦＩＦの４３ビットは、４００ｄｐｉ×４００ｄｐｉでの送信指定を表す。
【００８５】
ＤＩＳ、ＤＴＣ信号のＦＩＦの６８ビットは、ＪＰＥＧ符号化の受信機能の有無を表し、ＤＣＳ信号のＦＩＦの６８ビットは、ＪＰＥＧ符号化の送信指定を表す。
【００８６】
ＤＩＳ、ＤＴＣ信号のＦＩＦの６９ビットは、フルカラーモードの受信機能の有無を表し、ＤＣＳ信号のＦＩＦの６９ビットは、フルカラーモードの送信指定を表す。
【００８７】
ＤＩＳ、ＤＴＣ信号のＦＩＦの９７ビットは、カラー受信での３００ｄｐｉ×３００ｄｐｉまたは４００ｄｐｉ×４００ｄｐｉでの受信機能の有無を表し、ＤＣＳ信号のＦＩＦの９７ビットは、３００ｄｐｉ×３００ｄｐｉまたは４００ｄｐｉ×４００ｄｐｉでカラーでの送信指定を表す。
【００８８】
ＤＩＳ、ＤＴＣ信号のＦＩＦの９８ビットは、カラー受信での１００ｄｐｉ×１００ｄｐｉでの受信機能の有無を表し、ＤＣＳ信号のＦＩＦの９８ビットは、１００ｄｐｉ×１００ｄｐｉでカラーでの送信指定を表す。
【００８９】
ＤＩＳ、ＤＴＣ信号の１０５ビットは、６００ｄｐｉ×６００ｄｐｉでの受信機能の有無を表し、ＤＣＳ信号のＦＩＦの１０５ビットは、６００ｄｐｉ×６００ｄｐｉでの送信指定を表す。
【００９０】
ＤＩＳ、ＤＴＣ信号のＦＩＦの１０６ビットは、１２００ｄｐｉ×１２００ｄｐｉでの受信機能の有無を表し、ＤＣＳ信号のＦＩＦの１０６ビットは、１２００ｄｐｉ×１２００ｄｐｉでの送信指定を表す。
【００９１】
ＤＩＳ、ＤＴＣ信号のＦＩＦの１０７ビットは３００ｄｐｉ×６００ｄｐｉでの受信機能の有無を表し、ＤＣＳ信号のＦＩＦの１０７ビットは、３００ｄｐｉ×６００ｄｐｉでの送信指定を表す。
【００９２】
ＤＩＳ、ＤＴＣ信号のＦＩＦの１０８ビットは、４００ｄｐｉ×８００ｄｐｉでの受信機能の有無を表し、ＤＣＳ信号のＦＩＦの１０８ビットは、４００ｄｐｉ×８００ｄｐｉでの送信指定を表す。
【００９３】
ＤＩＳ、ＤＴＣ信号のＦＩＦの１０９ビットは、６００ｄｐｉ×１２００ｄｐｉでの受信機能の有無を表し、ＤＣＳ信号のＦＩＦの１０９ビットは、６００ｄｐｉ×１２００ｄｐｉでの送信指定を表す。
【００９４】
ＤＩＳ、ＤＴＣ信号のＦＩＦの１１０ビットは、カラー受信での６００ｄｐｉ×６００ｄｐｉでの受信機能の有無を表し、ＤＣＳ信号のＦＩＦの１１０ビットは、６００ｄｐｉ×６００ｄｐｉでカラーでの送信指定を表す。
【００９５】
ＤＩＳ、ＤＴＣ信号のＦＩＦの１１１ビットは、カラー受信での１２００ｄｐｉ×１２００ｄｐｉでの受信機能の有無を表し、ＤＣＳ信号のＦＩＦの１１１ビットは、１２００ｄｐｉ×１２００ｄｐｉでカラーでの送信指定を表す。
【００９６】
図１０、図１１、図１２は、ファクシミリ装置ＦＳ３の制御動作を示すフローチャートである。
【００９７】
Ｓ１０２では、バス１２６を介して、メモリ回路１１８をイニシャライズし、Ｓ１０４では、バス１２６を介して、操作部の表示部をクリアし、Ｓ１０６では、バス１２６を介して、ＮＣＵ１０２のＣＭＬをオフする。
【００９８】
Ｓ１０８では、バス１２６を介して、操作部の情報を入力し、解像度の指定が主走査方向、副走査方向に対して、非スクエアでのカラー通信指定が行われたときの受信制御を、無効とするか、所定条件が成立したときに、有効とするか否かを登録することが選択されたか否かを判断し、この選択が行われていれば、ステップＳ１１０に進み、バス１２６を介して、メモリ回路１１８に、解像度の指定が主走査方向、副走査方向に対して、非スクエアでのカラー通信指定が行われたときの受信制御は、無効とするか、所定条件が成立時、有効とするか否かを登録し、上記選択が行われていなければ、ステップＳ１１２に進む。
【００９９】
Ｓ１１２では、ファクシミリ受信が選択されたか否かを判断し、ファクシミリ受信が選択されていれば、ステップＳ１１６に進み、ファクシミリ受信が選択されていなければ、ステップＳ１１４に進み、その他の処理を実行する。
【０１００】
Ｓ１１６では、バス１２６を介して、ＮＣＵ１０２のＣＭＬをオンする。
【０１０１】
Ｓ１１８では、前手順を実行し、ここで、図８に基づいて、ＤＩＳ信号のＦＩＦの１５、４１、４２、４３、６８、６９、９７、９８、１０５、１０６、１０７、１０８、１０９、１１０、１１１ビットを全て１にして送信する。
【０１０２】
Ｓ１２０では、ＤＣＳ信号のＦＩＦの６８ビット、６９ビットはともに１である。すなわち、カラー通信が指定されたか否かを判断し、カラー通信が指定されていれば、ステップＳ１２６に進み、カラー通信が指定されていなければ、ステップＳ１２２に進む。
【０１０３】
Ｓ１２２では、指定された通信モード（解像度も含む）でモノクロ画信号を受信し、記録し、Ｓ１２４では、後手順を実行する。
【０１０４】
Ｓ１２６では、主走査方向と副走査方向とに対して、スクエアな解像度指定であるか否かを判断し、スクエアな解像度指定であれば、ステップＳ１２８に進み、スクエアな解像度指定でなければ、ステップＳ１３２に進む。
【０１０５】
Ｓ１２８では、指定された通信モードで、カラー画信号を受信し、記録する。この場合、主走査方向の解像度と副走査方向の解像度とは同じであるとする。すなわち、ＤＣＳ信号のＦＩＦの１５ビット、または、４２ビット、または、４３ビット、（４２ビット、または、４３ビットが１であるときは、９７ビットが１であることが多い）、または、９８ビット、または、１０５ビット、または、１０６ビット、または、１１０ビット、または、１１１ビットのどれか１つが１である。
【０１０６】
Ｓ１３０では、後手順を実行する。
【０１０７】
Ｓ１３２は、バス１２６を介して、メモリ回路１１８に登録されている情報を入力し、主走査方向と副走査方向とに、非スクエアの解像度でのカラー通信は有効であると登録されているか否かを判断し、上記登録が行われていれば、ステップＳ１３６に進み、ＪＰＥＧファイルのカラー画信号のメモリ受信を実行し、上記登録が行われていなければ、ステップＳ１３４に進み通信エラー処理をする。
【０１０８】
Ｓ１３８では、ＪＰＥＧファイルのヘッダーのＸパラメータで通知されたビット数は前手順でＤＣＳ信号によって通知された原稿サイズ、主走査方向の解像度（具体的には、原稿サイズによる主走査方向の長さ×主走査方向の解像度のビット数）と一致（５％以内の誤差は一致と判断する）したか否かを判断し、一致すれば、ステップＳ１４０に進み、一致しなければ、ステップＳ１３４に進む。
【０１０９】
Ｓ１４０では、ＪＰＥＧのファイルのヘッダーのＹパラメータで通知されたライン数は前手順でＤＣＳ信号によって通知された原稿サイズ、副走査方向の解像度（具体的には、原稿サイズによる副走査方向の長さ×副走査方向の解像度数のビット数）と一致（５％以内の誤差は一致と判断する）したか否かを判断し、一致すれば、ステップＳ１４２に進み、一致しなければ、ステップＳ１３４に進む。
【０１１０】
Ｓ１４２では、後手順を実行し、Ｓ１４４では、バス１２６を介して、ＮＣＵ１０２のＣＭＬをオフする。
【０１１１】
Ｓ１４６では、メモリ受信したカラー画信号を、送信機から通知された主走査方向と副走査方向とに対して、非スクエアの解像度でカラー記録する。ここでの通信においては、ＤＣＳ信号によって、ＦＩＦの４１ビット、または、１０７ビット、または、１０８ビット、または、１０９ビットのどれかひとつのビットが１である。
【０１１２】
【発明の効果】
請求項１〜４記載の発明によれば、送信機が、ＪＰＥＧ送信とフルカラー送信とを指定し、すなわち、カラーでファクシミリ送信を指定した上で、その解像度を非スクエアで指定した場合、フルカラーでの通信ができないので、モノクロ解像度指定ビットに対応した受信機能を無しとし、ＤＩＳ信号を再送信することが可能になり、送信機から、異なる解像度指定によって再度、カラー通信することができるという効果を奏する。
【０１１３】
請求項５、６、８記載の発明によれば、送信機が、ＪＰＥＧ送信とフルカラー送信とを指定、すなわち、カラーでのファクシミリ送信を指定した上で、その解像度を非スクエアで指定した場合、送信機からＪＰＥＧヘッダーで指定されるビット数に矛盾が無ければ、継続してカラーファクシミリ受信が可能になり、ユーザには使い易いという効果を奏する。
【０１１４】
請求項７、９記載の発明によれば、送信機が、ＪＰＥＧ送信とフルカラー送信とを指定、すなわち、カラーでのファクシミリ送信を指定した上で、その解像度は非スクエアを指定した場合、送信機からＪＰＥＧヘッダーで指定されるビット数に矛盾が無ければ、継続してカラーファクシミリ受信をするか、または、ファクシミリ受信を中断するかの選択が可能になり、ユーザには使い易いという効果を奏する。
【図面の簡単な説明】
【図１】本発明の第１の実施例であるファクシミリ装置ＦＳ１のブロック図である。
【図２】第２の実施例における解像度の指定と、カラー、グレースケールの画像通信との具体例を示す図である。
【図３】ファクシミリ装置ＦＳ１の動作を示すフローチャートである。
【図４】ファクシミリ装置ＦＳ１の動作を示すフローチャートである。
【図５】ファクシミリ装置ＦＳ１の動作を示すフローチャートである。
【図６】本発明の第２の実施例の動作を示すフローチャートである。
【図７】本発明の第３の実施例であるファクシミリ装置ＦＳ３のブロック図である。
【図８】第３の実施例において、解像度の指定と、カラー、グレースケールの画像通信との具体例を示す図である。
【図９】メモリ回路１１８に登録されている内容例を示す図である。
【図１０】ファクシミリ装置ＦＳ３の制御動作を示すフローチャートである。
【図１１】ファクシミリ装置ＦＳ３の制御動作を示すフローチャートである。
【図１２】ファクシミリ装置ＦＳ３の制御動作を示すフローチャートである。
【符号の説明】
ＦＳ１、ＦＳ３…ファクシミリ装置、
２、１０２…ＮＣＵ、
６、１０６…ハイブリッド回路、
８、１０８…変復調器、
１０、１１０…発呼回路、
１２、１１２…加算回路、
１４、１１４…読取回路、
１６、１１６…記録回路、
１８、１１８…メモリ回路、
２０、１２０…操作部、
２２、１２２…ＣＰＵ、
２４、１２４…ＲＯＭ。
【図１】
2004088670.tif 000003
【図２】
2004088670.tif 000004
【図３】
2004088670.tif 000005
【図４】
2004088670.tif 000006
【図５】
2004088670.tif 000007
【図６】
2004088670.tif 000008
【図７】
2004088670.tif 000009
【図８】
2004088670.tif 000010
【図９】
2004088670.tif 000011
【図１０】
2004088670.tif 000012
【図１１】
2004088670.tif 000013
【図１２】
2004088670.tif 000014